(57)【要約】【課題】複数のバージョンが存在する構造化文書について、互いに前後するバージョン間から抽出される差分を要約した差分情報を生成する文書差分表示プログラム及び情報処理装置を提供する。【解決手段】情報処理装置１は、指定されたＸＭＬ文書情報１１１の差分情報１１２の生成指示を受け付ける指示受付手段１００と、指定されたＸＭＬ文書情報１１１の全バージョンを取得する文書取得手段１０１と、文書取得手段１０１が取得したＸＭＬ文書情報１１１のバージョン間の差分を抽出する差分抽出手段１０２と、差分抽出手段１０２が抽出した差分のうち要素名が共通する集合を作業範囲と判定する差分判定手段１０３と、作業範囲のうち予め定めた条件に合致する作業範囲を要約して、差分から差分情報１１２を生成する差分生成手段１０４とを有する。【選択図】図１
2015204076.tif 000002
【特許請求の範囲】
【請求項１】
コンピュータを、
指定された連続する複数のバージョンの構造化文書情報を取得する文書取得手段と、
前記文書取得手段が取得した前記構造化文書情報の互いに前後するバージョン間の差分を抽出する差分抽出手段と、
前記差分抽出手段が抽出した差分のうち要素名が共通する集合を作業範囲と判定する差分判定手段と、
前記作業範囲のうち予め定めた条件に合致する作業範囲を、当該作業範囲に含まれる差分を省略することで要約して差分情報を生成する生成手段として機能させるための文書差分表示プログラム。
【請求項２】
キーワードを受け付けて、前記差分抽出手段が抽出した差分から当該受け付けたキーワードを含む差分を検索する検索手段としてさらに機能させ、
前記差分生成手段は、前記検索手段が検索した前記キーワードを含む差分を省略せずに前記差分情報を生成する請求項１に記載の文書差分表示プログラム。
【請求項３】
前記差分生成手段は、前記作業範囲のうち最新の作業範囲以外の作業範囲を要約する請求項１又は２に記載の文書差分表示プログラム。
【請求項４】
前記差分生成手段は、前記差分情報に含まれる差分の数が予め定めた数より多い場合に、前記差分情報をさらに要約する請求項１−３のいずれか１項に記載の文書差分表示プログラム。
【請求項５】
指定された連続する複数のバージョンの構造化文書情報を取得する文書取得手段と、
前記文書取得手段が取得した前記構造化文書情報の互いに前後するバージョン間の差分を抽出する差分抽出手段と、
前記差分抽出手段が抽出した差分のうち要素名が共通する集合を作業範囲と判定する差分判定手段と、
前記作業範囲のうち予め定めた条件に合致する作業範囲を、当該作業範囲に含まれる差分を省略することで要約して差分情報を生成する生成手段とを有する情報処理装置。
【発明の詳細な説明】
【技術分野】
【０００１】
本発明は、文書差分表示プログラム及び情報処理装置に関する。
【背景技術】
【０００２】
従来の技術として、複数のバージョンが存在する文書について、すべてのバージョンに関する差分箇所を一括で表示するとともに、差分箇所に関する変更履歴を表示する情報処理装置が提案されている（例えば、特許文献１参照）。
【０００３】
特許文献１に開示された情報処理装置は、改定前後のバージョンに相当する２つの構造化文書情報の内容について、両バージョンに共通に含まれる構造及び内容文字列からなる共通部分と、一方のバージョンだけに固有な差分部分と、当該共通部分及び当該差分部分の構造及び内容文字列間の対応関係とを抽出し、共通部分及び差分部分が属するバージョン及び双方のバージョン間での対応関係を識別するタグを改定後の構造化文書に付けるものであって、上記動作をバージョンが改訂される度に行いマルチバージョン文書情報を生成して、当該マルチバージョン文書情報に基づいてすべてのバージョンに関する差分箇所を一括で表示するとともに、差分箇所に関する変更履歴を表示する。
【先行技術文献】
【特許文献】
【０００４】
【特許文献１】特開２００２−２４２１１号公報
【発明の概要】
【発明が解決しようとする課題】
【０００５】
本発明の目的は、複数のバージョンが存在する構造化文書について、互いに前後するバージョン間から抽出される差分を要約した差分情報を生成する文書差分表示プログラム及び情報処理装置を提供することにある。
【課題を解決するための手段】
【０００６】
本発明の一態様は、上記目的を達成するため、以下の文書差分表示プログラム及び情報処理装置を提供する。
【０００７】
［１］コンピュータを、
指定された連続する複数のバージョンの構造化文書情報を取得する文書取得手段と、
前記文書取得手段が取得した前記構造化文書情報の互いに前後するバージョン間の差分を抽出する差分抽出手段と、
前記差分抽出手段が抽出した差分のうち要素名が共通する集合を作業範囲と判定する差分判定手段と、
前記作業範囲のうち予め定めた条件に合致する作業範囲を、当該作業範囲に含まれる差分を省略することで要約して差分情報を生成する生成手段として機能させるための文書差分表示プログラム。
【０００８】
［２］キーワードを受け付けて、前記差分抽出手段が抽出した差分から当該受け付けたキーワードを含む差分を検索する検索手段としてさらに機能させ、
前記差分生成手段は、前記検索手段が検索した前記キーワードを含む差分を省略せずに前記差分情報を生成する前記［１］に記載の文書差分表示プログラム。
【０００９】
［３］前記差分生成手段は、前記作業範囲のうち最新の作業範囲以外の作業範囲を要約する前記［１］又は［２］に記載の文書差分表示プログラム。
【００１０】
［４］前記差分生成手段は、前記差分情報に含まれる差分の数が予め定めた数より多い場合に、前記差分情報をさらに要約する前記［１］−［３］のいずれかに記載の文書差分表示プログラム。
【００１１】
［５］指定された連続する複数のバージョンの構造化文書情報を取得する文書取得手段と、
前記文書取得手段が取得した前記構造化文書情報の互いに前後するバージョン間の差分を抽出する差分抽出手段と、
前記差分抽出手段が抽出した差分のうち要素名が共通する集合を作業範囲と判定する差分判定手段と、
前記作業範囲のうち予め定めた条件に合致する作業範囲を、当該作業範囲に含まれる差分を省略することで要約して差分情報を生成する生成手段とを有する情報処理装置。
【発明の効果】
【００１２】
請求項１又は５に係る発明によれば、複数のバージョンが存在する構造化文書について、互いに前後するバージョン間から抽出される差分を要約した差分情報を生成することができる。
【００１３】
請求項２に係る発明によれば、キーワードを含む差分は含みつつ、他を要約した差分情報を生成することができる。
【００１４】
請求項３に係る発明によれば、複数のバージョンが存在する構造化文書について、最新の作業範囲以外を要約した差分情報を生成することができる。
【００１５】
請求項４に係る発明によれば、差分情報に含まれる差分の数を予め定めた数以下にすることができる。
【図面の簡単な説明】
【００１６】
【図１】図１は、第１の実施の形態に係る情報処理装置の構成例を示すブロック図である。
【図２】図２は、ＸＭＬ文書情報の構成の一例を示す概略図である。
【図３】図３は、基本動作を説明するための図である。
【図４】図４は、差分の構成の一例を示す概略図である。
【図５】図５（ａ）〜（ｃ）は、作業範囲を判定する動作の一例を示す概略図である。
【図６】図６は、差分情報の構成の一例を示す概略図である。
【図７】図７は、差分情報の表示動作を説明するための図である。
【図８】図８は、情報処理装置の動作の一例を示すフローチャートである。
【図９】図９は、第２の実施の形態に係る情報処理装置の構成例を示すブロック図である。
【図１０】図１０は、キーワード受付表示画面の構成を示す概略図である。
【図１１】図１１は、差分におけるキーワード検索動作の一例を示す概略図である。
【図１２】図１２は、差分情報の構成の他の例を示す概略図である。
【図１３】図１３は、差分情報の表示動作を説明するための図である。
【図１４】図１４は、情報処理装置の動作の一例を示すフローチャートである。
【発明を実施するための形態】
【００１７】
［第１の実施の形態］
（情報処理装置の構成）
図１は、第１の実施の形態に係る情報処理装置の構成例を示すブロック図である。
【００１８】
情報処理装置１は、構造化文書の一例としてＸＭＬ（Ｅｘｔｅｎｓｉｂｌｅ  Ｍａｒｋｕｐ  Ｌａｎｇｕａｇｅ）文書情報を扱うものであり、ＸＭＬ文書情報が編集される度に新たなバージョンのＸＭＬ文書情報を作成し、作成された複数のＸＭＬ文書情報の互いに前後するバージョン間の差分を差分情報として生成するものである。ここで、「構造化文書」とは、テキストを要素とし、要素には要素の種類を識別するために「トピック」、「タイトル」等の名（要素名）が付されており、複数の当該要素が一例としてツリー構造により構成される文書である。また、「差分」とは、少なくともＸＭＬ文書情報中の差分箇所、変更内容及びバージョン情報を含むものとする。
【００１９】
情報処理装置１は、ＣＰＵ（Ｃｅｎｔｒａｌ  Ｐｒｏｃｅｓｓｉｎｇ  Ｕｎｉｔ）等から構成され、各部を制御するとともに、各種のプログラムを実行する制御部１０と、フラッシュメモリ等の記憶媒体から構成され情報を記憶する記憶部１１と、ネットワークを介して外部と通信する通信部１２とを備える。
【００２０】
制御部１０は、後述する文書差分表示プログラム１１０を実行することで、指示受付手段１００、文書取得手段１０１、差分抽出手段１０２、差分判定手段１０３、差分生成手段１０４及び文書表示手段１０５等として機能する。
【００２１】
指示受付手段１００は、通信部１２を介して接続された外部の端末装置を利用する利用者から、差分情報の生成指示を受け付ける。生成指示には、対象となるＸＭＬ文書情報１１１、差分箇所等の情報の指定を含むものとする。
【００２２】
文書取得手段１０１は、指示受付手段１００が差分情報の生成指示を受け付けると、対象となる全てのバージョンのＸＭＬ文書情報１１１を記憶部１１から取得する。
【００２３】
差分抽出手段１０２は、ＸＭＬ文書情報１１１の互いに前後するバージョン間の差分を抽出する。
【００２４】
差分判定手段１０３は、差分抽出手段１０２が抽出した差分の作業範囲を判定する。ここで、「作業範囲」とは、差分の作業内容が共通すると想定される範囲であって、変更内容の要素名が共通する差分の集合を差すものとし、要素名が変化した箇所を作業範囲の境界とする。
【００２５】
差分生成手段１０４は、差分抽出手段１０２が抽出した差分を、差分判定手段１０３が判定した作業範囲毎に要約し、又は要約しないで差分情報１１２を生成し、記憶部１１に格納する。
【００２６】
文書表示手段１０５は、ＸＭＬ文書情報１１１及び／又は差分情報１１２を、通信部１２を介して接続された外部の端末装置の表示部等に表示処理する。
【００２７】
記憶部１１は、制御部１０を上述した各手段１００−１０５として動作させる文書差分表示プログラム１１０、ＸＭＬ文書情報１１１及び差分情報１１２等を記憶する。
【００２８】
図２は、ＸＭＬ文書情報１１１の構成の一例を示す概略図である。
【００２９】
ＸＭＬ文書情報１１１は、一例としてバージョン１〜９の過去のＸＭＬ文書情報１１１ｖ１〜１１１ｖ９と、バージョン１０の現在のＸＭＬ文書情報１１１ｖ１０とを有する。また、各バージョンのＸＭＬ文書情報１１１ｖ１〜１１１ｖ１０は、それぞれ要素１１１ｅ１〜１１１ｅ１０を有し、各要素１１１ｅ１〜１１１ｅ１０間の変更内容（及び差分箇所、バージョン情報）が前バージョンとの差分となる。
【００３０】
（情報処理装置の動作）
次に、第１の実施の形態の作用を、（１）基本動作、（２）差分情報生成動作、（３）差分情報表示動作に分けて説明する。
【００３１】
（１）基本動作
図３は、基本動作を説明するための図である。
【００３２】
図３に示すように、ＸＭＬ文書情報１１１ｖ１０は、一例として、要素がツリー構造により構成され、当該構成は外部の端末装置の表示部上に表示される。「ｍａｎｕａｌ＿ｓａｍｐｌｅ．ｘｍｌ」がＸＭＬ文書情報１１１ｖ１０であり、この中に単数又は複数の「ブック」という要素名の要素が含まれ、「ブック−１」の中には「編：Ｈ１−１：構造化文書作成支援」という要素名の要素が含まれている。
【００３３】
また、「編：Ｈ１−１：構造化文書作成支援」の中には、同じレベルの要素として「履歴」、「タイトル」、「本文領域」、「章：Ｈ２−１：文書の作成方法」が含まれる。
【００３４】
端末装置の利用者は、端末装置を操作して、例えば、「章：Ｈ２−１：文書の作成方法」という要素名の要素をカーソル２０で選択し、当該要素の差分を表示するためのメニュー２１を表示させる。
【００３５】
次に、端末装置の利用者は、メニュー２１をカーソル２０で選択して差分表示を要求する。情報処理装置１に該当する差分情報が存在しない場合、当該要求は、端末装置から情報処理装置１へ差分情報の生成指示及び差分情報の表示指示として送信される。
【００３６】
図８は、情報処理装置１の動作の一例を示すフローチャートである。
【００３７】
情報処理装置１の指示受付手段１００は、通信部１２を介して外部の端末装置から、差分情報の生成指示を受け付ける（Ｓ１）。
【００３８】
指示受付手段１００が差分情報の生成指示を受け付けると、次に、文書取得手段１０１は、図２に示すように、対象となる全てのバージョンのＸＭＬ文書情報１１１ｖ１〜１１１ｖ１０を記憶部１１から取得する（Ｓ２）。
【００３９】
次に、差分抽出手段１０２は、以下の図４に示すように、ＸＭＬ文書情報１１１ｖ１〜１１１ｖ１０のバージョン間の差分１０２ａを抽出する（Ｓ３）。
【００４０】
図４は、差分の構成の一例を示す概略図である。
【００４１】
差分１０２ａは、図２に示すＸＭＬ文書情報１１１ｖ１〜１１１ｖ１０の各要素１１１ｅ１〜１１１ｅ１０間の変更内容及びバージョン情報を前バージョンとの差分として抽出した差分１０２ａ１〜１０２ａ１０を有する。
【００４２】
（２）差分情報生成動作
【００４３】
次に、差分判定手段１０３は、以下の図５に示すように、差分の要素名の変化を検出し（Ｓ４）、変化した箇所（Ｓ５；Ｙｅｓ）を作業範囲の境界として、要素名が共通する差分の集合に分割する（Ｓ６）。
【００４４】
図５（ａ）〜（ｃ）は、作業範囲を判定する動作の一例を示す概略図である。
【００４５】
図５（ａ）に示すように、要素１１１ｅ１〜１１１ｅ３は要素名が「検証」で共通している。また、図５（ｂ）に示すように、要素１１１ｅ４〜１１１ｅ７は要素１１１ｅ１〜１１１ｅ３と異なり、要素名が「検証」から「委託」へと変化している。さらに、図５（ｃ）に示すように、要素１１１ｅ８〜１１１ｅ１０は要素１１１ｅ４〜１１１ｅ７と異なり、要素名が「委託」から「仕様」へ変化している。
【００４６】
つまり、差分判定手段１０３は、要素１１１ｅ３と１１１ｅ４の間及び要素１１１ｅ７と１１１ｅ８の間において、差分の要素名の変化を検出し、差分の集合である要素１１１ｅ１〜１１１ｅ３、要素１１１ｅ４〜１１１ｅ７、要素１１１ｅ８〜１１１ｅ１０をそれぞれ分割して、図４に示すように作業範囲１０３ａ、１０３ｂ、１０３ｃとする。
【００４７】
次に、差分生成手段１０４は、以下の図６に示すように、最新以外の作業範囲について差分を要約し、最新の作業範囲については要約しないで（Ｓ７）差分情報１１２ａを生成し（Ｓ８）、記憶部１１に格納する。
【００４８】
図６は、差分情報１１２の構成の一例を示す概略図である。
【００４９】
差分情報１１２ａは、図４に示す差分１０２ａのうち、作業範囲１０３ａ及び１０３ｂが要約され、作業範囲１０３ｃが要約されずに生成されたものである。つまり、作業範囲１０３ａ及び１０３ｂについては最初及び最後以外の差分、つまり差分１０２ａ２及び差分１０２ａ５、１０２ａ６が省略され、作業範囲１０３ｃについては差分が省略されていない。
【００５０】
なお、上記した要約の方法は一例であり、作業範囲内の削除する差分の組み合わせは任意に設定可能である。また、最新以外の作業範囲について差分を省略して要約してもその差分の数が予め定めた数より大きい場合は、さらに差分を省略するようにしてもよい。また、最新の作業範囲を要約するものであってもよい。
【００５１】
（３）差分情報表示動作
次に、文書表示手段１０５は、以下の図７に示すように、ＸＭＬ文書情報１１１ｖ１０及び差分情報１１２ａを、外部の端末装置の表示部に表示処理する。
【００５２】
図７は、差分情報１１２の表示動作を説明するための図である。
【００５３】
差分情報１１２ａは、外部の端末装置の表示部に、ＸＭＬ文書情報１１１ｖ１０の差分箇所を指し示すように表示される。
【００５４】
（第１の実施の形態の効果）
上記した第１の実施の形態によれば、抽出した差分のうち要素名が共通する集合を作業範囲と判定して、最新以外の作業範囲に含まれる差分を省略して差分情報１１２を生成したため、複数のバージョンが存在する構造化文書から、要約した差分情報１１２を生成することができる。つまり、差分情報１１２は最新の作業範囲については要約されない詳細の差分を含み、最新以外の作業範囲については要約された差分のみを含むものとなる。
【００５５】
また、最新の作業範囲以外を要約した差分情報を用いることで、全ての差分を表示する場合と比べて、現在進行している作業範囲については詳細に表示することができ、過去の作業範囲について簡易に表示することができる。
【００５６】
［第２の実施の形態］
（情報処理装置の構成）
第２の実施の形態は、第１の実施の形態の構成にキーワード検索手段１０６を追加したものであり、作業範囲の要約の段階でキーワードを含む差分については省略せずに差分情報１１２に含めるものである。以下、第１の実施の形態と共通の構成については同一の符号を付している。
【００５７】
図９は、第２の実施の形態に係る情報処理装置の構成例を示すブロック図である。
【００５８】
情報処理装置１Ａは、第１の実施の形態の情報処理装置１Ａにキーワード検索手段１０６を追加したものである。
【００５９】
キーワード検索手段１０６は、外部の端末装置において入力されたキーワードを受け付け、差分抽出手段１０２が抽出した差分から受け付けたキーワードを含むテキストを検索する。
（情報処理装置の動作）
次に、第２の実施の形態の作用を、（１）基本動作、（２）差分情報生成動作、（３）差分情報表示動作に分けて説明する。
【００６０】
（１）基本動作
第１の実施の形態と同様に、端末装置の利用者は、図３に示すように、端末装置を操作して、例えば、「章：Ｈ２−１：文書の作成方法」という要素名の要素をカーソル２０で選択し、差分を表示するためのメニュー２１を表示させる。
【００６１】
次に、端末装置の利用者は、メニュー２１をカーソル２０で選択して差分表示を要求する。
【００６２】
情報処理装置１Ａは、差分表示の要求を受け付けると、以下の図１０のようにキーワード受付表示画面２２を外部の端末装置の表示部に表示処理する。
【００６３】
図１０は、キーワード受付表示画面の構成を示す概略図である。
【００６４】
キーワード受付表示画面２２は、キーワードを入力するための入力枠２３と、入力枠２３に入力したキーワードで検索要求するためのボタン２４と、検索要求をキャンセルするためのボタン２５とを有する。
【００６５】
端末装置の利用者は、端末装置を操作して入力枠２３にキーワードの一例として「Ａ社」と入力し、検索要求するためにボタン２４を操作する。
【００６６】
端末装置は、キーワード「Ａ社」とともに検索要求を情報処理装置１Ａに送信する。
【００６７】
情報処理装置１Ａに該当する差分情報が存在しない場合、当該要求は、端末装置から情報処理装置１Ａへ差分情報の生成指示及び差分情報の表示指示として送信される。
【００６８】
（２）差分情報生成動作
【００６９】
図１４は、情報処理装置１Ａの動作の一例を示すフローチャートである。
【００７０】
情報処理装置１Ａは、第１の実施の形態と同様に図１４のフローチャートに示すステップＳ１〜Ｓ３を実行し、以下の図１１に示す差分１０２ａを抽出する。なお、図１４のフローチャートのうちステップＳ７’のみが図８に示すフローチャートと異なる動作となる。
【００７１】
図１１は、差分１０２ａにおけるキーワード検索動作の一例を示す概略図である。
【００７２】
差分１０２ａは、図４に示す差分１０２ａと同一のものであり、キーワード検索手段１０６は、キーワード「Ａ社」を受け付け、差分１０２ａからＡ社を含むテキストを検索する。その結果、図１１に示すように、キーワード１０６ａが差分１０２ａ４において、キーワード１０６ｂが差分１０２ａ５において、キーワード１０６ｃが差分１０２ａ６において、キーワード１０６ｄ及び１０６ｅが差分１０２ａ７において検索される。
【００７３】
次に、情報処理装置１Ａは、第１の実施の形態と同様ステップＳ４〜Ｓ６を実行し、差分判定手段１０３は、差分の要素名の変化を検出し、変化した箇所を境界として、作業範囲１０３ａ〜１０３ｃに分割する。
【００７４】
次に、差分生成手段１０４は、以下の図１２に示すように、キーワード「Ａ社」を含む差分１０２ａ４〜１０２ａ７を省略せずに、最新以外の作業範囲について差分を要約し、最新の作業範囲については要約しないで（Ｓ７’）、差分情報１１２ｂを生成し（Ｓ８）、記憶部１１に格納する。
【００７５】
図１２は、差分情報１１２の構成の他の例を示す概略図である。
【００７６】
差分情報１１２ｂは、図１１に示す差分１０２ａのうち、キーワード「Ａ社」を含む差分１０２ａ４〜１０２ａ７が省略されずに、作業範囲１０３ａが要約され、最新の作業範囲１０３ｃが要約されずに生成されたものである。つまり、作業範囲１０３ａについては最初及び最後以外の差分、つまり差分１０２ａ２が省略され、作業範囲１０３ｂ及び１０３ｃについては差分が省略されていない。
【００７７】
（３）差分情報表示動作
次に、文書表示手段１０５は、以下の図１３に示すように、ＸＭＬ文書情報１１１ｖ１０及び差分情報１１２ｂを、外部の端末装置の表示部に表示処理する。
【００７８】
図１３は、差分情報１１２ｂの表示動作を説明するための図である。
【００７９】
差分情報１１２ｂは、外部の端末装置の表示部に、ＸＭＬ文書情報１１１ｖ１０の差分箇所を指し示すように表示される。
【００８０】
（第２の実施の形態の効果）
上記した第２の実施の形態によれば、抽出した差分のうち要素名が共通する集合を作業範囲と判定して、キーワードを含む差分は省略せずに、最新以外の作業範囲に含まれる差分を省略して差分情報１１２を生成したため、複数のバージョンが存在する構造化文書から、キーワードを含む差分以外を要約した差分情報１１２を生成することができる。つまり、差分情報１１２は最新の作業範囲については要約されない詳細の差分を含み、最新以外の作業範囲についてはキーワードを含む差分を含みつつ、要約された差分を含むものとなる。
【００８１】
［他の実施の形態］
なお、本発明は、上記実施の形態に限定されず、本発明の趣旨を逸脱しない範囲で種々な変形が可能である。
【００８２】
上記実施の形態では制御部１０の各手段１００〜１０６の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００８３】
１、１Ａ      情報処理装置
１０   制御部
１１   記憶部
１２   通信部
２０   カーソル
２１   メニュー
２２   キーワード受付表示画面
２３   入力枠
２４   ボタン
２５   ボタン
１００ 指示受付手段
１０１ 文書取得手段
１０２ 差分抽出手段
１０２ａ      差分
１０２ａ１-１０２ａ１０     差分
１０３ 差分判定手段
１０３ａ-１０３ｃ    作業範囲
１０４ 差分生成手段
１０５ 文書表示手段
１０６ キーワード検索手段
１０６ａ‐１０６ｄ   キーワード
１１０ 文書差分表示プログラム
１１１ ＸＭＬ文書情報
１１１ｖ１-１１１ｖ１０     ＸＭＬ文書情報
１１１ｅ１-１１１ｅ１０     要素
１１２、１１２ａ、１１２ｂ  差分情報
【図１】
2015204076.tif 000003
【図２】
2015204076.tif 000004
【図３】
2015204076.tif 000005
【図４】
2015204076.tif 000006
【図５】
2015204076.tif 000007
【図６】
2015204076.tif 000008
【図７】
2015204076.tif 000009
【図８】
2015204076.tif 000010
【図９】
2015204076.tif 000011
【図１０】
2015204076.tif 000012
【図１１】
2015204076.tif 000013
【図１２】
2015204076.tif 000014
【図１３】
2015204076.tif 000015
【図１４】
2015204076.tif 000016